(57)【要約】【課題】クラゲ等の浮遊生物の飼育用水槽を提供する。【解決手段】箱状の水槽本体１を仕切板２で仕切って前面側の水槽部３と背面側の濾過部４を形成し、前記水槽部３内に断面が略円形の水槽５を設けた浮遊生物の飼育用水槽であって、前記水槽５を、合成樹脂からなる帯状で着脱式のパネル部材６を水槽部３内に差し込み円弧状曲面に弾性変形させて形成した。前記パネル部材６は、水槽本体１の内側に設けた円弧状のガイドレール７に沿って円弧状曲面に弾性変形されており、差込み先端部６ａが水槽本体１の側面上部の内側に設けた第１の係止部８あに係止され、一方、差込み後端部６ｂが他方の側面上部の近傍に設けた第２の係止部８ｂに係止されて断面が略円形の水槽５を形成している。【選択図】図１
2014204695.tif 000002
【特許請求の範囲】
【請求項１】
箱状の水槽本体を仕切板で仕切って前面側の水槽部と背面側の濾過部を形成し、前記水槽部内に断面が略円形の水槽を設けた浮遊生物の飼育用水槽であって、前記水槽を、合成樹脂からなる帯状で着脱式のパネル部材を水槽部内に差し込み円弧状曲面に弾性変形させて形成したことを特徴とする浮遊生物の飼育用水槽。
【請求項２】
パネル部材は、水槽本体の内側に設けた円弧状のガイドレールに沿って円弧状曲面に弾性変形されており、差込み先端部が水槽本体の側面上部の内側に設けた第１の係止部に係止され、一方、差込み後端部が他方の側面上部の近傍に設けた第２の係止部に係止されて断面が略円形の水槽を形成している請求項１に記載の浮遊生物の飼育用水槽。
【請求項３】
第１の係止部の上方部には、濾過部から循環される濾過水の供給パイプと濾過水の分散板が設置されている請求項１または２に記載の浮遊生物の飼育用水槽。
【請求項４】
パネル部材の供給パイプの下方部に位置する部分には、吸込み孔が設けられている請求項１〜３のいずれかに記載の浮遊生物の飼育用水槽。
【請求項５】
水槽本体が、鑑賞用の窓部を形成したカバー体で覆われている請求項１〜４のいずれかに記載の浮遊生物の飼育用水槽。
【発明の詳細な説明】
【技術分野】
【０００１】
本発明は、クラゲ等の浮遊生物の飼育用水槽に関するものである。
【背景技術】
【０００２】
例えば、クラゲ類やある種の甲殻類、魚類等の浮遊生物は、遊泳力が弱く、海水の流れに漂って浮遊する生物である。そのため、浮遊生物は水槽などの人工的な環境で長期間飼育するには、浮遊生物の生活環境に適した水流を作ってやる必要があり、一般家庭で飼育することは難しいと言われていた。
【０００３】
そこで、浮遊生物の浮遊に適した緩い水流を作り出せる家庭用水槽として、例えば、特許文献１〜特許文献３に示されるように、水槽の側底面や背面を曲面や多角面にすることで浮遊生物に適した水流を作り出すように工夫した水槽が提案されている。
【０００４】
しかしながら、特許文献１〜特許文献３に示されるような曲面状や多角面状の側底面等は、例えば、アクリル樹脂等からなる筒状パイプをいったん生産し、その後、切断加工を加えて作ったり、板状体を生産後、曲げ加工や貼り合わせ加工等を施して作ったりするため、製造工程が複雑で水槽の価格が非常に高くなるというのが現実であった。そして、これが一般家庭への普及を妨げる大きな要因となっていた。
また、前記のように製作された水槽は曲面状の側底面を水槽本体に固定した一体型の構造であり、手の届きにくい箇所があって清掃作業等がやりにくいという問題や、部分的に破損等が生じた場合も水槽本体全体を買い換える必要があり、費用負担が大きいという問題があった。更には、一体型の構造で排水孔の位置や形状が一定のために決まったパターンの水流しか作り出すことができず、水流調整を行って様々な浮遊生物を飼育することはできないという問題もあった。
【先行技術文献】
【特許文献】
【０００５】
【特許文献１】特開平１０−２３４２５０号公報
【特許文献２】特開平１１−４６６２２号公報
【特許文献３】特開２０１０−５７３８３号公報
【発明の概要】
【発明が解決しようとする課題】
【０００６】
本発明は上記のような問題点を解決して、浮遊生物の浮遊に適した水流を作り出せる水槽を安価に生産することができ、また、従来の一体式構造と異なり着脱式のパネル部材を利用することにより修理や清掃作業等のメンテナンスを簡単に行うことができ、更には、水流調整が可能で様々な浮遊生物を飼育することができる浮遊生物の飼育用水槽を提供することを目的として完成されたものである。
【課題を解決するための手段】
【０００７】
上記課題を解決するためになされた本発明の浮遊生物の飼育用水槽は、箱状の水槽本体を仕切板で仕切って前面側の水槽部と背面側の濾過部を形成し、前記水槽部内に断面が略円形の水槽を設けた浮遊生物の飼育用水槽であって、前記水槽を、合成樹脂からなる帯状で着脱式のパネル部材を水槽部内に差し込み円弧状曲面に弾性変形させて形成したことを特徴とするものである。
【０００８】
前記パネル部材は、水槽本体の内側に設けた円弧状のガイドレールに沿って円弧状曲面に弾性変形されており、差込み先端部が水槽本体の側面上部の内側に設けた第１の係止部に係止され、一方、差込み後端部が他方の側面上部の近傍に設けた第２の係止部に係止されて断面が略円形の水槽を形成しており、これを請求項２に係る発明とする。
【０００９】
また、第１の係止部の上方部には、濾過部から循環される濾過水の供給パイプと濾過水の分散板が設置されているものが好ましく、これを請求項３に係る発明とする。
【００１０】
また、パネル部材の供給パイプの下方部に位置する部分には、吸込み孔が設けられているものが好ましく、これを請求項４に係る発明とする。
【００１１】
更に、水槽本体が鑑賞用の窓部を形成したカバー体で覆われているものとすることができ、これを請求項５に係る発明とする。
【発明の効果】
【００１２】
請求項１に係る発明では、箱状の水槽本体を仕切板で仕切って前面側の水槽部と背面側の濾過部を形成し、前記水槽部内に断面が略円形の水槽を設けた浮遊生物の飼育用水槽であって、前記水槽を、合成樹脂からなる帯状で着脱式のパネル部材を水槽部内に差し込み円弧状曲面に弾性変形させて形成したので、従来の一体式構造と異なり着脱式のパネル部材を利用することにより、簡単にパネル部材の着脱を行うことができ修理や清掃作業等のメンテナンスを簡単に行うことが可能となる。
【００１３】
請求項２に係る発明では、パネル部材は、水槽本体の内側に設けた円弧状のガイドレールに沿って円弧状曲面に弾性変形されており、差込み先端部が水槽本体の側面上部の内側に設けた第１の係止部に係止され、一方、差込み後端部が他方の側面上部の近傍に設けた第２の係止部に係止されて断面が略円形の水槽を形成しているものとしたので、パネル部材を所定位置に簡単かつ確実にセットすることができ、また取り外しも容易に行うことができる。
【００１４】
請求項３に係る発明では、第１の係止部の上方部には、濾過部から循環される濾過水の供給パイプと濾過水の分散板が設置されているものとしたので、水槽に向けて濾過水を均等かつ緩やかに供給することができ、浮遊生物の浮遊に適した水流を容易に作り出すことができる。
【００１５】
請求項４に係る発明では、パネル部材の供給パイプの下方部に位置する部分には、吸込み孔が設けられているものとしたので、吸込み孔における急激な吸引作用が緩和され、浮遊生物が吸込み孔に吸引されることを防止することができる。
【００１６】
請求項５に係る発明では、水槽本体が、鑑賞用の窓部を形成したカバー体で覆われているものとしたので、優れた意匠効果を奏し、インテリアとしてのデザイン効果を一層向上させることができる。
【図面の簡単な説明】
【００１７】
【図１】本発明の実施の形態を示す斜視図である。
【図２】本発明の実施の形態を示す正面図である。
【図３】本発明の実施の形態を示す平面図である。
【図４】パネル部材を差し込む工程を示す正面図である。
【図５】第１の係止部を示す拡大図である。
【図６】第２の係止部を示す拡大図である。
【図７】カバー体との組合せを示す分解斜視図である。
【発明を実施するための形態】
【００１８】
以下に、図面を参照しつつ本発明の好ましい実施の形態を示す。
図１はクラゲの飼育用水槽の一例を示す斜視図、図２は正面図、図３は平面図である。図において、１は透明性の高いアクリル樹脂やガラス等からなり、上部を開口した箱状の水槽本体、２は仕切板で、この仕切板２により前面側の水槽部３と背面側の濾過部４が形成されている。なお、上部の開口には蓋体や照明器具（図示せず）が載置される。
【００１９】
前記水槽部３内には、断面が略円形の水槽５が設けられており、一方、前記濾過部４には一般的な縦型の濾過装置１１がセットされている。また、前記仕切板２の右下端部には、水槽部３と濾過部４を連通させる連通孔２ａが成形されている。この連通孔２ａを通じて濾過装置１１へ導入された水は、濾過処理後は配水管１１ａ、流量調整弁１１ｂを経て、後述する供給パイプ９から再び水槽部３内に循環供給される構造となっている。
【００２０】
前記の断面が略円形の水槽５は、従来は、アクリル樹脂製の筒状パイプを切断加工したり、板状体を曲げ加工や貼り合わせ加工等して作ったものが普通であり、しかも、その円形の水槽は水槽本体１に接着剤等により固定された構造のものであった。
これに対し、本発明では、断面が略円形の水槽５は、厚みが０．５〜２．５ｍｍ程度と薄くて弾力性のある合成樹脂からなり、幅が１０〜２０ｃｍ、長さが６０〜１００ｃｍ程度の帯状で着脱式のパネル部材６を水槽部３内に差し込み、円弧状曲面に弾性変形させて形成した構造となっている。なお、パネル部材６の厚み、幅、長さ等は形成する水槽５の大きさに応じて設計するものであり、上記の範囲に限定されないことは勿論である。
【００２１】
次に、前記パネル部材６の固定について説明する。
図示のものでは、水槽本体の内側、即ち、水槽本体１の前面の内側と、仕切板２の水槽側には一対の円弧状のガイドレール７、７が設けられており、図４に示すように、パネル部材６を差し込んでいくとガイドレール７、７に沿って円弧状に弾性変形され、自動的に円弧状曲面を形成する構造となっている。
図５に示されるように、パネル部材６の差込み先端部６ａは、水槽本体１の側面上部の内側に設けた鉤状の第１の係止部８ａに係止され固定され、一方、差込み後端部６ｂは、図６に示されるように、他方の側面上部の近傍（図示のものでは、ガイドレール７の始点）に設けた第２の係止部８ｂに係止されて固定される。
このような構造により、パネル部材６をガイドレール７、７に沿って差し込むだけで、誰でも簡単に断面が略円形の水槽５を形成することができ、しかも、常に同位置に同形状の水槽５を形成できることとなる。
【００２２】
また、前記第１の係止部８ａの上方部には、濾過部４から循環される濾過水の供給パイプ９と濾過水の分散板１０が設置されており、水槽５に向けて濾過水を均等かつ緩やかに供給することができるように構成されている。なお、この分散板１０の傾斜角度については、浮遊生物の浮遊に適した水流を作り出すように、垂直方向に対し１０から４５度の範囲で傾斜させてある。
【００２３】
前記パネル部材６には、水槽内の水を槽外へ排出するための吸込み孔６ｃが多数個設けられている。図示のものでは、この吸込み孔６ｃは、供給パイプ９の下方部に位置する部分に設けられており、吸込み孔６ｃにおける急激な吸引作用を緩和して、浮遊生物が吸込み孔６ｃに吸引されることを防止するように構成されている。
なお、前記吸込み孔６ｃの大きさや個数、あるいは設置位置については、浮遊生物の種類に対応させて最適に設計したものを選択することができる。
【００２４】
また、図７に示すように、水槽本体１を鑑賞用の窓部２１を形成したカバー体２０で覆うこともできる。カバー体２０は任意の色に着色されており、この場合は、背面部にある濾過装置等が隠蔽さて優れた意匠効果を奏し、また、窓部２１から水槽内を覗くことであたかもミニ水族館のような感覚を与え、インテリアとしてのデザイン効果を一層向上させることができる。
【００２５】
以上の構造からなる本発明の浮遊生物の飼育用水槽では、パネル部材６を差し込むだけで自動的に仕切板２に沿って円弧状に弾性変形し、円弧状曲面の水槽５を完成させることができる。従って、従来の一体型の水槽に比べると、簡単で安価に生産することが可能となる。また、パネル部材６の着脱が自在であるため、修理や清掃作業等のメンテナンスを簡単に行うことが可能となる。更には、パネル部材６に設けた吸込み孔６ｃの大きさ、個数、設置位置等を任意に設計されたものに交換したり、濾過装置１１の流量調整弁１１ｂの操作によって水流調整を簡単に行うことができるので、様々な浮遊生物の生態系に合わせて水の流れを調整でき、浮遊生物を最適環境で飼育することができる等、種々の利点を有する。
【符号の説明】
【００２６】
１  槽本体
２  仕切板
2ａ  連通孔
３  水槽部
４  濾過部
５  水槽
６  パネル部材
6a  差込み先端部
6b  差込み後端部
6c  吸込み孔
７  ガイドレール
8a  第１の係止部
8b  第２の係止部
９  供給パイプ
１０  分散板
１１  濾過装置
11ａ  配水管
11ｂ  流量調整弁
２０  カバー体
２１  窓部
【図５】
2014204695.tif 000003
【図６】
2014204695.tif 000004
【図１】
2014204695.tif 000005
【図２】
2014204695.tif 000006
【図３】
2014204695.tif 000007
【図４】
2014204695.tif 000008
【図７】
2014204695.tif 000009